(57)【要約】【課題】  使用者が前回の洗濯の仕上がり等を受けて、好みの運転態様を設定しやすい洗濯機を提供すること。【解決手段】  本発明の実施形態の洗濯機は、表示画面と、複数の運転コースから運転コースを選択するためのコース選択手段と、表示画面に表示させた質問項目への回答入力から運転態様の変更条件を決定する変更条件決定手段と、変更条件決定手段により決定した変更条件を記憶する記憶手段と、記憶手段に記憶させた変更条件と選択した運転コースとをもとに運転態様を設定する運転態様設定部と、運転態様設定部で設定した運転態様から洗濯機の運転を制御する制御装置とを備え、変更条件決定手段は運転終了後に表示させた質問項目への回答入力から運転態様の変更条件を決定する。【選択図】図４
2015008914.tif 000002
【特許請求の範囲】
【請求項１】
外箱内に配設された外槽と、
前記外槽内に回転可能に配設され、洗濯物を収容する内槽と、
洗い、すすぎ、脱水の各工程を運転制御する運転制御部と、
洗い又はすすぎに用いる水の温度を検出する温度検出手段と、
前記温度検出手段で検出した温度がどの温度範囲に属するかに基づいて運転態様を変更する変更制御部と、
洗い又はすすぎに用いる水にふろ水を使用するふろ水モードとを備え、
前記ふろ水モードを選択した場合に、前記変更制御部は、前記ふろ水モードを選択しなかった場合に比べて、より細かい温度範囲に応じて運転態様を変更制御する洗濯機。
【請求項２】
外箱内に配設された外槽と、
前記外槽内に回転可能に配設され、洗濯物を収容する内槽と、
洗い、すすぎ、脱水の各工程を運転制御する運転制御部と、
洗い又はすすぎに用いる水の温度を検出する温度検出手段と、
前記温度検出手段で検出した温度がどの温度範囲に属するかに基づいて運転態様を変更する変更制御部と、
洗い又はすすぎに用いる水にふろ水を使用するふろ水モードとを備え、
前記ふろ水モードを選択した場合の運転態様に、前記ふろ水モードを選択しなかった場合の運転態様より低消費電力となる運転態様を備える洗濯機。
【請求項３】
前記変更制御部は、少なくとも脱水時の前記内槽の回転数を変更制御する請求項１又は２に記載の洗濯機。
【請求項４】
前記温度検出手段で検出した温度が所定温度以上である場合に、前記変更制御部は、脱水時の前記内槽の回転数を減少させる変更制御を行う請求項３に記載の洗濯機。
【請求項５】
前記温度検出手段で検出した温度が所定温度以下である場合に、前記変更制御部は、脱水時の前記内槽の回転数を増加させる変更制御を行う請求項３又は４に記載の洗濯機。
【請求項６】
低消費電力での運転を行う省エネコースを備え、前記ふろ水モードと前記省エネコースの両方を選択した場合に、前記変更制御部は前記ふろ水モードのみを選択した場合よりも細かい温度範囲に応じて運転態様を変更制御する請求項１に記載の洗濯機。
【請求項７】
ふろ水を給水する給水ポンプと、
水道水を給水する給水手段とを備え、
前記給水ポンプからの給水が行われなかった時に、前記給水手段から水道水を給水するように切り替え運転を行う洗濯機において、
前記省エネコースを選択した場合に、前記省エネコースを選択しなかった場合よりも前記給水ポンプを駆動する時間が長い請求項１乃至６に記載の洗濯機。
【請求項８】
前記温度検出手段で検出した温度が所定温度以上であるとき、省エネ運転中であることを報知する報知手段を備えた請求項１乃至７に記載の洗濯機。
【発明の詳細な説明】
【技術分野】
【０００１】
本発明の実施形態は、洗濯機に関する。
【背景技術】
【０００２】
洗濯機の洗い又はすすぎに用いる水の温度を検出し、例えば１０℃以下、１０℃〜３０℃、３０℃以上などの温度範囲を設定し、検出した水温がどの温度範囲に属するかを判断して、その水温の属する温度範囲に応じて洗い時間及びすすぎ時間を適切に変更制御する洗濯機が提案されている。この場合、水道水を使用する場合と、水道水よりも温度の高い蓋然性の高いふろ水を使用する場合とで同じ温度範囲を設定しており、同じ温度範囲に属していても上限温度と下限温度では温度差が大きく、同じ運転態様であっても洗濯の仕上がりに差が生じる、あるいは、不必要に運転時間が長くなってしまう場合があった。
【先行技術文献】
【特許文献】
【０００３】
【特許文献１】特開平９−２３４２９６号公報
【発明の概要】
【発明が解決しようとする課題】
【０００４】
本発明は上記の問題を考慮してなされたものであり、より精度よく水温に応じた運転態様に変更制御する洗濯機を提供することを目的とする。
【課題を解決するための手段】
【０００５】
本発明の実施形態の洗濯機は、外箱内に配設された外槽と、前記外槽内に回転可能に配設され、洗濯物を収容する内槽と、洗い、すすぎ、脱水の各工程を運転制御する運転制御部と、洗い又はすすぎに用いる水の温度を検出する温度検出手段と、前記温度検出手段で検出した温度がどの温度範囲に属するかに基づいて運転態様を変更する変更制御部と、洗い又はすすぎに用いる水にふろ水を使用するふろ水モードとを備え、前記ふろ水モードを選択した場合に、前記変更制御部は、前記ふろ水モードを選択しなかった場合に比べて、より細かい温度範囲に応じて運転態様を変更制御する洗濯機。
【図面の簡単な説明】
【０００６】
【図１】第一実施形態の洗濯乾燥機の全体構成を示す破断側面図である。
【図２】操作表示部を示す拡大正面図である。
【図３】電気的構成を示すブロック図である。
【図４】温度に応じた運転態様の変更条件を示す図である。
【図５】第二実施形態における温度に応じた運転態様の変更条件を示す図である。
【図６】第三実施形態における温度に応じた運転態様の変更条件を示す図である。
【発明を実施するための形態】
【０００７】
本発明の一実施例につき図面を参照しながら説明する。
【０００８】
（第一実施形態）
図１は第一実施形態の洗濯乾燥機の全体構成を示す破断側面図であり、外箱１の内部に外槽２を配設している。外箱１は、前面部に洗濯物出入口３を有する矩形箱状のもので、その洗濯物出入口３をドア４により開閉するようにしている。
【０００９】
これに対して、外槽２は、前面部に洗濯物通口５を有するドラム状のもので、その洗濯物通口５をベローズ６により外箱１の洗濯物出入口３と接続している。又、外槽２は、外箱１の底面から立設した複数組（１組のみ図示）のサスペンション７により、横軸状で、且つ前上がり（図中左上がり）の傾斜状に弾性支持している。
【００１０】
更に、外槽２の底部には貯水部８を設けており、この貯水部８の最低部である最後部に排水弁９を接続し、この排水弁９に排水ホース１０に接続している。又、貯水部８には、洗濯水加熱用のヒータ１１を配設するとともに、このヒータ１１の近傍に位置して温度検出手段としてサーミスタ４０が配設されている。
【００１１】
外槽２の内部には、内槽１２を回転可能に配設している。この内槽１２も、前面部に洗濯物通口１３を有するドラム状のもので、その周側壁には、洗濯物撹拌用のバッフル１４を複数（図示は１つのみ）設けると共に、脱水用の通水孔であり乾燥用の通気孔でもある通孔１５をほぼ全面にわたり多数形成している（図示は一部のみ）。
【００１２】
外槽２の背部にはモータ１６を取付けている。このモータ１６はアウターロータ形で、そのロータ１６ａと一体に回転する回転軸１６ｂを外槽２内に挿入し、その先端部に内槽１２を取付けている。この結果、内槽１２はモータ１６により回転駆動されるようになっている。又、内槽１２は外槽２と同軸状（横軸状で且つ前上がりの傾斜状）に支持されている。
【００１３】
外槽２外の背部から上部にかけては、温風供給装置１７を配設している。この温風供給装置１７は、この場合、外槽２外の背部に除湿機１８を配設し、上部に送風機１９と加熱器２０とを配設して成るもので、それらをダクト２１、２２により一つの通路状に連ね、更に、その入口部１７ａを外槽２の背部の最下部から外槽２内に連通させ、出口部１７ｂを外槽２の上部の最前部から外槽２内に連通させている。
【００１４】
ここで、詳細には、除湿機１８には、その上方に配設した注水弁２３から注水チューブ２４を通じて内部の散水器２５に水が供給され、その水を散水器２５が矢印Ａで示すように放散して落下させるようになっている。
【００１５】
又、送風機１９は、羽根車１９ａの回転により、矢印Ｂで示すように、内槽１２内の空気を外槽２内を通じて入口部１７ａから除湿機１８内に吸入し、そして、その除湿機１８内から送風機１９を経て加熱器２０を通し、出口部１７ｂから外槽２内を通じて内槽１２内に戻すようになっている。
【００１６】
その過程で、除湿機１８内では、ここを通る内槽１２内の空気を、前記散水器２５から放散された水により冷却して除湿するようになっている。又、加熱器２０では、ここを通る除湿後の空気をヒータ２０ａが熱して温風化するようになっており、かくして、内槽１２内に温風を供給するようになっている。
【００１７】
このほか、図１には、モータ１６に対して設けた回転センサ２６を示しており、この回転センサ２６はロータ１６ａの回転ひいては内槽１２の回転を検知するようになっている。
【００１８】
更に、図１には、外槽２内に注水するための注水ケース２７、注水ケース２７を通じて外槽２内にもっぱらふろの残り湯を供給する給水ポンプ２８を示しており、そのほか、外箱１の前上部に内設した例えばマイクロコンピュータから成る制御手段である制御装置２９を示している。
【００１９】
制御装置２９には、設定された運転態様に沿って洗濯乾燥機の運転を制御する運転制御部２９ａと、運転コースの運転態様に変更を加える変更制御部２９ｂとが備えられる。
【００２０】
一方、外箱１の前上部には図２に示すような操作表示部３０を設ける。操作表示部３０には、使用者が洗濯乾燥機の運転に係る各種の操作をするための各種操作スイッチ３１が配される。その中でも、３１ａは使用者が運転コースを選択設定する運転コース設定スイッチ、３１ｂは使用者が必要に応じてふろ水の使用を選択設定するふろ水モード設定スイッチを示している。なお、３１ａにて選択設定される運転コースには、「標準」とそれより強力で且つ長時間の「しっかり」及び短時間の運転で節電を重視する「省エネ」がある。また、ふろ水を洗濯運転のどの工程で使用するかを選択設定する３１ｂには、洗い工程でふろ水を使用する「洗い」と、すすぎ工程においてふろ水を使用する「すすぎ」が選択でき、「洗い」と「すすぎ」の両方を選択することも可能である。
【００２１】
そして、そのほか、操作表示部３０には洗濯乾燥機の運転に係る各種の表示をする表示部３２が配され、その中でも３２ａは省エネ運転中であることを「省エネ運転中」の文字とランプの点灯とで報知する報知手段を示している。
【００２２】
図３は電気的構成を示すブロック図である。操作表示部３０の操作スイッチ３１と、外槽２内の水位を検知するように設けた水位センサ３３、ドア４の開閉検知手段であるドアスイッチ３４、及び前記回転センサ２６を示しており、これらのスイッチ信号又は検知信号を制御装置２９に入力するようにしている。
【００２３】
そして、それらの入力並びにあらかじめ記憶された制御プログラムに基づいて、制御装置２９は、サーミスタ４０と操作表示部３０及び報知手段３２ａを制御すると共に、ふろ水などをくみ上げる給水ポンプ２８と、水を外槽２内に給水するように設けた給水弁３５と、排水弁９、注水弁２３、モータ１６、ヒータ１１、ヒータ２０ａ、送風機１９、及びドア４をロック（閉鎖拘束）するように設けたドアロック装置３６を、駆動回路３７を介して制御するようになっている。
【００２４】
次に上記構成における本実施形態の具体的態様を述べる。
【００２５】
まず、使用者が、内槽１２内に洗濯物を入れてドア４を閉じると共に、洗剤をセットし、電源を投入して、洗濯運転のコース設定、乾燥運転のコース設定を含む運転設定を行う。ここで、運転制御部２９ａにより、洗濯乾燥機に予め備えられた複数のコース（例えば標準コース、しっかりコースなど）から、使用者が選択した洗濯コースと乾燥コースに沿って運転制御を行うことになる。さらに、このコース選択時に、洗い又はすすぎに用いる水としてふろ水を使用するふろ水モードと、節水や節電を重視する省エネコースを選択可能にしており、ふろ水モードを選択した場合には、ふろ水を洗い工程で使用するか、すすぎ工程で使用するか、洗いとすすぎの両工程で使用するかを使用者によって選択させる。その後、運転を開始させることで、制御装置２９が作動を開始して、最初にドアロック装置３６を作動させることにより、ドア４のロックをする。
【００２６】
次に、洗濯物の量を検知する。この洗濯物量の検知は、例えばモータ１６を所定の入力で起動させた後に、それを終了し、そのときの回転センサ２６の検知結果を読み込むことにより行うもので、モータ１６を起動させれば、内槽１２が回転され、起動を終了すれば、内槽１２が惰性回転する。その各回転は、内槽１２に収容した洗濯物の量が多いほど、回転の負荷が大きくなることにより、少ない回転数となって回転センサで検知されるため、その検知結果から洗濯物の量が検知される。
【００２７】
なお、使用者が運転開始の前にコースを選択しなかった場合には、この洗濯物量の検知結果から最適なコースを自動で選択することになる。
【００２８】
運転態様が確定した後、使用者がふろ水モードにおいて洗い工程にふろ水を使用することを選択した場合には、ふろ水を給水する給水ポンプ２８を駆動し、給水弁３５を開放させて、外槽２内への給水を開始する。ただし、ふろ水モードを選択した場合であっても、給水ポンプ２８を駆動しているにも関わらず、給水ポンプ２８からの給水が一定時間行われない場合には、給水ポンプ２８の駆動を停止し、水道水による給水に切り換える。なお、洗い工程にふろ水を使用する設定がされていない場合には、初めから水道水を給水する。
【００２９】
ここで、ふろ水モードと省エネコースの両方が選択されている場合には、ふろ水モードのみが選択されている場合に比べて、給水ポンプ２８からの給水が行われずに水道水による給水に切り換えるまでの時間を長く設定し、給水ポンプ２８の駆動時間を長くする。
【００３０】
給水が完了した時点で、サーミスタ４０により温度を検出し、検出した水温がどの温度範囲に属するかを判断し、変更制御部２９ｂにより後述する運転態様の変更を行う。この時、標準コースとふろ水モードと省エネコースなどの運転態様の中で、使用者が選択した運転コース及びモードに対応する温度範囲を用いて、運転態様を変更する。すなわち、ふろ水モードを選択した場合にはふろ水モードの温度範囲を使用し、省エネコースを選択した場合には省エネコースの温度範囲を使用し、ふろ水モードも省エネコースも選択されなかった場合には標準コースの温度範囲を使用する。なお、ふろ水モードと省エネコースの両方を選択した場合には、２０℃以上の温度範囲はふろ水モードを、２０℃よりも下の温度範囲は省エネコースの温度範囲をそれぞれ適用する。
【００３１】
その後、使用者により選択された洗濯コースについて変更制御部２９ｂにより運転態様に変更を加え、新たな運転態様に設定変更された後、運転制御部２９ａにより新たな運転態様に沿って内槽１２を回転させることにより洗い工程から運転を開始する。
【００３２】
運転態様の具体的な変更条件については後述するが、検出された水温が高い場合には、洗い工程における運転時間を短縮する変更を加える。ここで、洗い時間を短縮する変更がなされた場合には、短縮された洗い運転中に、報知手段３２ａのランプを点灯させることで使用者に省エネ運転を実行中であることを報知する。
【００３３】
洗い工程の終了後、排水を行い内槽１２を所定時間（例えば２分間）にわたって高速回転（例えば９００回転）させることにより脱水工程を実行する。
【００３４】
洗い工程と同様に、検出された水温が高い場合には、脱水工程における運転時間を短縮する変更を加える。ここで、脱水時間を短縮する変更がなされた場合には、短縮された脱水運転中に、報知手段３２ａのランプを点灯させることで使用者に省エネ運転を実行中であることを報知する。
【００３５】
脱水工程の終了後、洗い工程の場合と同様、使用者がふろ水モードにおいてすすぎ工程にふろ水を使用することを選択した場合には、ふろ水を給水する給水ポンプ２８を駆動し、給水弁３５を開放させて、外槽２内への給水を開始する。ただし、ふろ水モードを選択した場合であっても、給水ポンプ２８を駆動しているにも関わらず、給水ポンプ２８からの給水が一定時間行われない場合には、給水ポンプ２８の駆動を停止し、水道水による給水に切り換える。なお、洗い工程にふろ水を使用する設定がされていない場合には、水道水を給水する。
【００３６】
ここで、洗い工程の前の給水と同様に、ふろ水モードと省エネコースの両方が選択されている場合には、ふろ水モードのみが選択されている場合に比べて、給水ポンプ２８からの給水が行われずに水道水による給水に切り換えるまでの時間を長く設定し、給水ポンプ２８の駆動時間を長くする。給水が完了した時点で、サーミスタ４０により温度を検出し、検出した水温がどの温度範囲に属するかを判断し、変更制御部２９ｂにより後述する運転態様の変更を行う。
【００３７】
この給水が完了した上で、内槽１２を回転させることによりすすぎ工程を実行する。検出された水温が高い場合には、すすぎ工程における運転時間を短縮する変更を加える。ここで、すすぎ時間を短縮する変更がなされた場合には、短縮されたすすぎ運転中に、報知手段３２ａのランプを点灯させることで使用者に省エネ運転を実行中であることを報知する。
【００３８】
すすぎ工程の終了後、排水を行い、内槽１２を所定時間（例えば５分間）にわたって高速回転（例えば９００回転）させることにより最終脱水工程を実行し、その後に、内槽１２を回転させると共に、内槽１２内に温風供給装置１７により温風を供給することにより、乾燥を実行し、乾燥運転の終了をもって、洗濯乾燥機の運転を終了する。
【００３９】
温度範囲に対応する運転態様の変更条件を示す図４にあるように、ふろ水モードも省エネコースも選択しない標準コース時とふろ水モード選択時と省エネコース選択時とのそれぞれの場合において、異なる温度範囲に基づいて、サーミスタ４０による水温の検出温度がどの温度範囲に属するかによって、洗い運転における洗い時間とすすぎ運転におけるすすぎ時間と脱水運転における脱水時間とに変更制御を加える。
【００４０】
ここで、水温に基づいて洗い時間と脱水時間とすすぎ時間を延長あるいは短縮する変更を加えるが、これは以下の理由による。洗い又はすすぎに使用する水の温度が高い場合には、洗い工程においては、洗剤が溶けやすくなることに加えて、洗剤の活性が良くなるので運転時間を短くしても十分な洗浄性能が得られる。脱水工程においては、脱水時に洗濯物に残っている水の量が少なくなるため、運転時間を短くしても十分な脱水性能が得られる。すすぎ工程においては、洗剤が溶けやすいため、洗剤が洗濯物に残る蓋然性が低いので運転時間を短くしても十分なすすぎを行うことができる。一方、水温が低い場合には、洗いと脱水とすすぎの効果が低いため、運転時間を長くするなどして十分な洗いと脱水とすすぎを行う必要がある。
【００４１】
以下に具体的な運転態様の変更条件について説明する。
【００４２】
標準コース時すなわちふろ水モードも省エネコースも選択しなかった場合には、温度範囲を３つに分けて運転態様の変更制御を加える。サーミスタ４０による検出温度が１０℃よりも低い温度では、洗い時間と脱水時間とすすぎ時間をそれぞれ１０％延長する変更を行う（Ｐ１）。１０℃以上３０℃未満の温度では、洗い時間と脱水時間とすすぎ時間は変更せずに予め設定された運転コース通りの通常運転を行う（Ｐ０）。３０℃以上の温度では、洗い時間と脱水時間とすすぎ時間を１０％短縮する変更を行う（Ｐ６）。
【００４３】
次に、ふろ水モードを選択し、ふろ水を少なくとも洗いとすすぎの両工程に使用することを選択した場合を説明する。ふろ水は水道水に比べて温度の高い蓋然性が高い、すなわち、ふろを沸かした状態では４０℃程度の温度であり、そのふろ水を洗濯に使用する際には、時間経過により４０℃程度の温度から低下するものの、水道水よりは高い温度にあると考えられ、洗濯に使用するふろ水の温度としては２５℃から４０℃の間の温度である可能性が高いと考えられる。そこで、２５℃から４０℃までの温度範囲を５℃ずつの温度範囲に細分化することで、温度範囲を標準時の３つよりも多い６つの範囲に分ける。サーミスタ４０による検出温度が１０℃より低い温度では、洗い時間と脱水時間とすすぎ時間をそれぞれ１０％延長する変更を行う（Ｐ１）。１０℃以上２５℃未満の温度では、洗い時間と脱水時間とすすぎ時間は変更せずに予め設定された運転コース通りの通常運転を行う（Ｐ０）。２５℃以上３０℃未満の温度では、洗い時間と脱水時間とすすぎ時間を３％短縮する変更を行う（Ｐ３）。３０℃以上３５℃未満の温度では、洗い時間と脱水時間とすすぎ時間を５％短縮する変更を行う（Ｐ４）。３５℃以上４０℃未満の温度では、洗い時間と脱水時間とすすぎ時間を８％短縮する変更を行う（Ｐ５）。４０℃以上の温度では、洗い時間と脱水時間とすすぎ時間を１０％短縮する変更を行う（Ｐ６）。
【００４４】
以下に、省エネコースを選択した場合を説明する。水道水の温度は外気温によって異なるが例えば東京の水道水の年間平均温度は１６℃程度である。そこで、標準時の３つの温度範囲に１０℃から１５℃の温度範囲を追加することで温度範囲を細分化する。サーミスタ４０による検出温度が１０℃より低い温度では、洗い時間と脱水時間とすすぎ時間をそれぞれ１０％延長する変更を行う（Ｐ１）。１０℃以上１５℃未満の温度では、洗い時間と脱水時間とすすぎ時間をそれぞれ５％延長する変更を行う（Ｐ２）。１５℃以上３０℃未満の温度では、洗い時間と脱水時間すすぎ時間は変更せずに予め設定された運転コース通りの通常運転を行う（Ｐ０）。３０℃以上の温度では、洗い時間と脱水時間とすすぎ時間を１０％短縮する変更を行う（Ｐ６）。
【００４５】
ふろ水モードと省エネコースの両方を選択した場合には、２０℃以上の温度範囲はふろ水モードを、２０℃よりも下の温度範囲は省エネコースの温度範囲をそれぞれ適用するため、ふろ水モードのみを選択した場合や省エネコースを選択した場合よりも細かい７つの範囲に温度範囲を区切る。
【００４６】
使用者が省エネコースを選択せず、ふろ水を洗い及びすすぎに使用することを選択し、このふろ水を使用した際の水温が３３℃の場合を例に運転態様の変更制御を説明する。給水ポンプ２８を駆動してふろ水を給水した後、サーミスタ４０によって水温を検出する。変更条件を決定するための温度範囲は図４のふろ水モードの場合に示すように、６つの温度範囲に分かれて運転態様の変更制御が行われることになる。水温が３３℃であるのでＰ４で示される変更制御がなされ、洗い時間と脱水時間とすすぎ時間はそれぞれ５％短縮される。
【００４７】
上述した変更条件の具体的な値は洗濯乾燥機の能力や、洗濯物の量によって異なるので、延長及び短縮される長さについては適宜変更が必要であり、洗い時間と脱水時間とすすぎ時間は必ずしも同じ比率や同じ時間だけ変更せずに、洗い時間とすすぎ時間は１０％、脱水時間は５％短縮するなどしてもよい。また、変更を加える運転態様は洗い工程と脱水工程とすすぎ工程に限られず、最終脱水工程に変更を加えてもよい。また、温度範囲の設定についても上述した実施形態に限られず、ふろ水モードを選択した場合には、ふろ水モードを選択しなかった場合に比べて特にふろ水の温度と予想される温度において、細かく温度範囲を区切って設定すればよい。
【００４８】
上記構成により、ふろ水を使う場合と水道水を使う場合とで運転態様に加える変更の値が異なり、水道水よりも温度の高い蓋然性の高いふろ水使用時には、ふろ水の温度と予想される温度である２５℃から４０℃の温度範囲を５℃ずつに細分化することにより、ふろ水の水温に応じた変更制御をより精度よく行うことができる。これにより、ふろ水の温度に応じて適切な運転時間で運転できるため、洗濯の仕上がりに大きな差が生じることを防止できる。また、不必要に運転時間が長くなることで消費電力量を増加させてしまうことを防止できる。
【００４９】
運転コースに省エネコースを備え、省エネコースを選択した場合と選択しなかった場合とで、運転態様に加える変更の値が異なり、省エネコースを選択した場合には省エネコースを選択しなかった場合に比べて、より細分化された温度範囲に基づいて変更条件を判断するため、水温に応じた運転態様の変更制御をより精度よく行うことができる。これにより、ふろ水の温度に応じて適切な運転時間で運転できるため、洗濯の仕上がりに大きな差が生じることを防止できる。また、不必要に運転時間が長くなることで消費電力量を増加させてしまうことを防止できる。
【００５０】
ふろ水モードと省エネコースの両方が選択されている場合には、ふろ水モードのみが選択されている場合に比べて、給水ポンプ２８からの給水が行われずに水道水による給水に切り換えるまでの時間を長く設定し、給水ポンプ２８の駆動時間を長くすることで、より確実にふろ水を給水して洗濯を行うことができる。
【００５１】
洗い工程や脱水工程及びすすぎ工程の時間を短縮して運転を行っている場合に、その工程における運転が省エネ運転であることを報知手段３２ａにより報知するため、使用者が省エネ運転中であるかどうかを認識できる。
【００５２】
（第二実施形態）
第一実施形態と異なる点は、標準コース選択時とふろ水モード選択時とで運転態様の変更を判断する基準となる温度範囲を変えるのではなく、ふろ水モード選択時にはふろ水モードを選択しなかった場合に比べて消費電力の低い運転態様を備える点にある。
【００５３】
所定の閾値以上の温度では、ちょうど閾値の水温であっても閾値に比べて高い温度であっても全て一律に同じ変更が加えられることとなる。標準コースにおいては水道水を給水することを想定するため、閾値の中で最も高温に設定される上限値は夏場などの水道水が比較的高い温度を基準に設定された場合であっても、せいぜい３０℃程度である。しかし、ふろ水は水道水に比べて温度の高い蓋然性が高いため、水道水の温度を基準に設定する標準コース選択時の温度範囲の上限温度よりも、ふろ水の温度を基準に設定するふろ水モード選択時の温度範囲の上限温度の方が高く設定することができる。すなわち、標準コースでは上限温度が例えば３０℃であり、この３０℃を超える温度は全て一律に同じ変更が加えられるが、ふろ水モード選択時では上限温度を３５℃など標準コースに比べて高い温度に設定し、上限温度を高く設定した場合の上限温度以上における変更条件を、最も運転時間が短く低消費電力な運転となるように設定する。
【００５４】
第二実施形態における温度範囲に対応する運転態様の変更条件を示す図５にあるように、ふろ水モードを選択しなかった場合とふろ水モードを選択した場合とでは高温側で運転態様に加える変更の値が異なる。
【００５５】
標準コース時すなわちふろ水モードを選択しなかった場合、温度範囲を３つに分けて運転態様の変更制御を加える。サーミスタ４０による検出温度が１０℃より低い温度では、洗い時間と脱水時間とすすぎ時間をそれぞれ１０％延長する変更を行う（Ｑ１）。１０℃以上３０℃未満の温度では、洗い時間と脱水時間とすすぎ時間は変更せずに予め設定された運転コース通りの通常運転を行う（Ｑ０）。３０℃以上の温度では、洗い時間と脱水時間とすすぎ時間を１０％短縮する変更を行う（Ｑ２）。
【００５６】
続いて、ふろ水モードを選択した場合を説明する。サーミスタ４０による検出温度が１０℃より低い温度では、標準コース時と同じく、洗い時間と脱水時間とすすぎ時間をそれぞれ１０％延長する変更を行う（Ｑ１）。１０℃以上２５℃未満の温度では、洗い時間と脱水時間とすすぎ時間は変更せずに予め設定された運転コース通りの通常運転を行う（Ｑ０）。２５℃以上３５℃未満の温度では、洗い時間と脱水時間とすすぎ時間を１０％短縮する変更を行う（Ｑ２）。３５℃以上の温度では、洗い時間と脱水時間とすすぎ時間を１５％短縮する変更を行う（Ｑ３）。すなわち、上限温度が高く設定されるふろ水モード選択時において、上限温度以上である３５℃以上の温度で加わる変更条件（Ｑ３）が最も運転時間を短縮する変更条件である。
【００５７】
上記構成により、水道水よりも温度の高い蓋然性の高いふろ水を洗い又はすすぎに使用するふろ水モードを使用者が選択した場合に、ふろ水モードを選択しなかった場合に比べて運転態様の変更制御の基準となる温度範囲の上限値を高く設定することで、洗い及び脱水の効果のより高い温度を基準にして、洗い時間と脱水時間とすすぎ時間の短縮量を設定できるので、洗濯乾燥機の運転時間を短縮できるとともに、消費電力量を低減できる。
【００５８】
（第三実施形態）
上述した実施形態と異なる点は、検出した水温に応じて洗い時間又は脱水時間を変更制御するのではなく、脱水時の内槽１２の回転数を変更制御する点にある。
【００５９】
水温が高い場合には脱水の効果が高いので内槽１２の回転数を低くしても十分な脱水が可能である。一方、水温が低い場合には脱水の効果が低いので内槽１２の回転数を高くする必要がある。このため、水温が高い場合には内槽１２の回転数を低く、水温が低い場合には内槽１２の回転数を高く設定する。
【００６０】
第三実施形態における温度範囲に対応する運転態様の変更条件を示す図６にあるように、第二実施形態と同様、ふろ水モードを選択しなかった場合とふろ水モードを選択した場合とでは高温側で運転態様に加える変更の値が異なる。
【００６１】
標準コース時すなわちふろ水を洗い工程に使用することを選択しなかった場合、温度範囲を３つに分けて運転態様の変更制御を加える。サーミスタ４０による検出温度が１０℃より低い温度では、脱水時の内槽１２の回転数を１０％増加する変更を行う（Ｒ１）。１０℃以上３０℃未満の温度では、脱水時の内槽１２の回転数は変更せずに予め設定された運転コース通りの通常運転を行う（Ｒ０）。３０℃以上の温度では、脱水時の内槽１２の回転数を１０％減少させる変更を行う（Ｒ２）。
【００６２】
続いて、ふろ水を洗い工程に使用することを選択した場合を説明する。サーミスタ４０による検出温度が１０℃より低い温度では、脱水時の内槽１２の回転数を１０％増加する変更を行う（Ｒ１）。１０℃以上２５℃未満の温度では、内槽１２の回転数は変更せずに予め設定された運転コース通りの通常運転を行う（Ｒ０）。２５℃以上３５℃未満の温度では、脱水時の内槽１２の回転数を５％減少させる変更を行う（Ｒ２）。３５℃以上の温度では、洗い時間と脱水時間とすすぎ時間を１５％減少させる変更を行う（Ｒ３）。
【００６３】
上記構成により、水道水よりも温度の高い蓋然性の高いふろ水を洗い又はすすぎに使用するふろ水モードを使用者が選択した場合に、ふろ水モードを選択しなかった場合に比べて運転態様の変更制御の基準となる温度範囲の上限値を高く設定し、水温が高い場合には脱水時の内槽１２の回転数を低く変更制御できるので、脱水時の内槽１２の高速回転に伴って発生する音を低減することができる。また、内槽１２を必要以上に高速回転させずにすむので消費電力量を低減できる。
【００６４】
水道水よりも温度の高い蓋然性の高いふろ水を洗い工程に使用することを使用者が選択した場合に、選択しなかった場合に比べて運転態様の変更制御の基準となる温度範囲の上限値を高く設定することで、脱水効果のより高い温度を基準にして、脱水時の回転数を低く設定できるので、水温に応じてより精度よく洗濯乾燥機の回転数を制御でき、水温が高い場合には静音性を高めるとともに消費電力量を低減できる。
【００６５】
以上説明した少なくとも一つの実施形態によれば、水道水よりも温度の高い蓋然性の高いふろ水を洗い又はすすぎに使用するふろ水モードを使用者が選択した場合に、ふろ水モードを選択しなかった場合に比べてより精度よく水温に応じた適切な運転態様に変更制御が可能である。
【００６６】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１は外箱、２外槽、３は洗濯物出入口、４はドア、８は貯水部、９は排水弁、１２は内槽、１４はバッフル、１５は通孔、１６はモータ、１７は温風供給装置、１８は除湿機、１９は送風機、２０は加熱器、２１、２２はダクト、２３は注水弁、２４は注水チューブ、２５は散水器、２６は回転センサ、２７は注水ケース、２８は給水ポンプ、２９は制御装置、２９ａは運転制御部、２９ｂは変更制御部、３０は操作表示部、３１は操作スイッチ、３１ａは運転コース設定スイッチ、３１ｂはふろ水モード設定スイッチ、３２は表示部、３２ａは報知手段、３３は水位センサ、３４はドアスイッチ、３６はドアロック装置、３７は駆動回路、４０はサーミスタ（温度検出手段）を示す。
【図１】
2015008914.tif 000003
【図２】
2015008914.tif 000004
【図３】
2015008914.tif 000005
【図４】
2015008914.tif 000006
【図５】
2015008914.tif 000007
【図６】
2015008914.tif 000008